(57)【要約】【課題】屋外の収納型電気設備では雨水が水切枠をつたって下に落ちるが、側部平面部を伝う際、雨水の水量が多い場合は、水切突き出し部を乗り越えて、キャビネット内部へ雨水が浸入していた。【解決手段】扉で開閉するキャビネット開口部の上部および側部から前方向に突出して形成される上部平面部および側部平面部を有する水切枠を備え、上部平面部に流れる水分を、扉を閉じた際にキャビネットの扉受け面側へ誘導する側面方向への凸部を水流誘導手段として備え、長期間にわたり安定した防水性能を有する受配電設備を提供することができる。【選択図】図１
2005261007.tif 000002
【特許請求の範囲】
【請求項１】
電気機器と、前記電気機器を収納し前面に略長方形形状の開口部を有するキャビネットとを備える収納型電気設備であって、前記キャビネットは前記開口部を開閉する扉と、前記開口部の上部および側部からそれぞれ前記キャビネットの前方向に突出して形成される上部平面部および側部平面部を有する水切枠とを備え、前記水切枠は、前記上部平面部に流れる水分を、前記扉を閉じた際に前記扉の内側周囲部を受ける前記キャビネットの扉受け面側へ誘導する水流誘導手段を備えた収納型電気設備。
【請求項２】
水流誘導手段は、水切枠の上部平面部の側端部からキャビネットの側面方向に略水平に突出してなる凸部である請求項１記載の収納型電気設備。
【請求項３】
水流誘導手段は、水切枠の上部平面部の側端部からキャビネットの側面方向の斜め上方に突出してなる凸部である請求項１記載の収納型電気設備。
【請求項４】
水流誘導手段は、水切枠の上部平面部の側端部から略鉛直上方に突出してなる凸部である請求項１記載の収納型電気設備。
【請求項５】
水流誘導手段は、水切枠の上部平面部の側端部上の点から内側斜め前方へ前記上部平面部上に形成する直線を底辺として略鉛直上方に突出してなる凸部である請求項１記載の収納型電気設備。
【請求項６】
凸部は、キャビネット前方側の部分のみが突出してなる請求項２から５のいずれかに記載の収納型電気設備。
【請求項７】
凸部は、前記凸部を形成する扉受け面側の縁部を、前記凸部の先端部から水切枠の上部平面部の側端部に向かって曲線または斜め直線に形成してなる請求項６記載の収納型電気設備。
【請求項８】
凸部は、前記凸部を形成する扉受け面側の縁部の両端部のうち、水切枠の上部平面部の側端部に近い側の端部を、前記上部平面部の側端部上に設けてなる請求項７記載の収納型電気設備。
【請求項９】
凸部は、前記凸部を形成する扉受け面側の縁部の両端部のうち、水切枠の上部平面部の側端部に近い側の端部を、前記上部平面部の側端部と扉受け面との交点に設けてなる請求項７記載の収納型電気設備。
【請求項１０】
凸部は、前記凸部を形成する扉受け面側の縁部の両端部のうち、水切枠の上部平面部の側端部に近い側の端部を、前記上部平面部と前記扉受け面が交差して形成される直線を側面方向へ延長した直線上に設けてなる請求項７記載の収納型電気設備。
【請求項１１】
水流誘導手段は、水切枠の上部平面部の側端部上の点から内側斜め前方へ前記上部平面部上に形成する直線を、扉受け面まで延長してなる直線を底辺として略鉛直上方に突出してなる凸部である請求項１記載の収納型電気設備。
【請求項１２】
水流誘導手段は、水切枠の上部平面部の側端部上の点から内側斜め前方に前記上部平面部上に形成する直線と、前記上部平面部の側端部上の点から扉受け面まで後方斜め下方向へ形成する直線とをそれぞれ底辺として略鉛直上方に突出してなる凸部である請求項１記載の収納型電気設備。
【請求項１３】
凸部の底辺と、水切枠の上部平面部の側端部と、扉受け面とで形成される部分は空洞である請求項１１または１２記載の収納型電気設備。
【請求項１４】
水流誘導手段は、水切枠の上部平面部の側端部から略水平に突出してなる第１の突起部と、前記第１の突起部の先端部から略鉛直上方に突出してなる第２の突起部とからなる凸部である請求項１記載の収納型電気設備。
【請求項１５】
凸部は、第２の突起部を形成する扉受け面側の縁部を、前記第２の突起部の先端部上の点からその根元部に向かって曲線または斜め直線に形成してなる請求項１４記載の収納型電気設備。
【請求項１６】
凸部は、第１の突起部の扉受け面に近い部分に空洞部を有する請求項１４記載の収納型電気設備。
【請求項１７】
水流誘導手段は、水切枠の上部平面部の両側端部とも設けられた請求項１から１  ６のいずれかに記載の収納型電気設備。
【請求項１８】
水流誘導手段は、水切枠の上部平面部の片側端部に設けられた請求項１から１６  のいずれかに記載の収納型電気設備。
【請求項１９】
水切枠の上部平面部の両側端部のうち、凸部が設けられていない片側端部に、その側端部から略鉛直上方に突出させてなる止水手段を設けた請求項１８記載の収納型電気設備。
【請求項２０】
水切枠は、側部平面部の扉受け面に近い側に親水性塗料を塗布した請求項１から１９のいずれかに記載の収納型電気設備。
【請求項２１】
水切枠は、側部平面部の前方向側に疎水性塗料を塗布した請求項１から２０のいずれかに記載の収納型電気設備。
【発明の詳細な説明】
【技術分野】
【０００１】
本発明は電気機器等を収納する収納型電気設備に関し、特にキャビネットに収納した受配電設備の防水構造に関するものである。
【背景技術】
【０００２】
近年、店舗、会社、工場等の他一般家庭で屋外に配置する電気機器等を収納する収納型電気設備は需要を増しており、雨水にさらされるなど防水面で劣悪な環境に耐える防水性能を益々必要とされてきている。特に受配電設備は省エネの観点から通常の店舗等でもその需要を伸ばしており、防水性能の強化と防水性能の品質継続が求められている。
【０００３】
そして従来より受配電設備は、板金加工によって解決する方法が知られている（例えば特許文献１参照）。また、パッキンを用いて解決しているものもある（例えば特許文献２参照）。
【０００４】
図１６から図２０を用いて、従来の収納型電気機器の一例として、受配電設備について説明する。
【０００５】
図１６は、一般的な受配電設備の外観図を示す。図１６において、１は受配電設備の外装を成すキャビネットを示し、内部に受配電設備を構成する電気機器等が収納されている。なお、前記受配電設備を構成する電気機器とは図示しないが変圧器や遮断器やコンデンサ等である。またキャビネットには前面に扉３が設けられており、扉３を開放すると、キャビネット前面には開口部が設けられており、上記電気機器の出し入れ、点検等ができるようになっている。また、この扉３の内側周辺部を受けるキャビネットの扉受け面１１が開口部に周辺に設けられている。
【０００６】
また図１７は、図１６で示すキャビネット１の上部詳細図を示す。図１７において、１１は扉３の内側周辺部を受けるキャビネットの扉受け面、３は内側に凹部を有する扉を示す。なお、この扉３は正面板とその周縁に設けた上下左右各側面板とから凹部を形成してなる開閉可能な箱状のものである。また２はキャビネットの一部をなし、扉受け面１１と連続して構成されてキャビネットの前方向に突出した水切枠を示す。
【０００７】
また図１８は、扉３を閉じた状態のキャビネット前面の要部断面図を示す。図１８において、この水切枠２は、扉３の閉状態ではその凹部に覆われた状態になっており、長方形形状の開口部１ａの周縁に設けられている。
【０００８】
さらに図１９は、扉３の開状態での水切枠２の上部詳細図を示す。図１９に示すように、水切枠２は、扉受け面１１から前方向へ突き出して設けられ、水切枠２の天井面を構成する上部平面部２１、側面を構成する側部平面部２２、およびそれらと略垂直に、開口部１ａの周縁部から外側に向かって鉛直上方および側面方向に外側方向に突き出した水切突き出し部２３により構成される。なお、扉３の開状態でキャビネット開口部１ａは空間となり、キャビネット１内部に収納する電気機器（図示せず）の出し入れ、点検等ができる。
【０００９】
以上のように構成された一般的な従来例の受配電設備の防水構造について、その動作を説明する。
【００１０】
屋外に設置された受配電設備１が雨天時等に受配電設備１が受ける雨水は、図１８で示すように、扉３と扉受け面１１の間にできる隙間３ａを通り、水切枠２をつたって側部から下に落ちる。すなわち、雨水はまず図１９に示す水切枠２の上部平面部２１をつたって側部平面部２２に至り、そのまま下方へ落ちる。この時、扉受け面１１、上部平面部２１、水切上前面２２、および水切突き出し部２３は、流水路を形成し、樋のごとく雨水を下方へ導き、キャビネット開口部１ａからキャビネット１内に雨水が浸入するのを防いでいる。
【００１１】
図２０は、特許文献１で示された従来の別の実施例における受配電設備の扉開状態の水切枠の上部と扉閉状態の水切枠の下部の詳細図を示す。図２０において、２１０は上部平面部２１の延長上に設けた滴下誘導部を示す。この滴下誘導部２１０により、上部平面部２１の上面をつたった雨水が滴下誘導部２１０から雨水が水滴となり下方へ滴下する。これにより、雨水が、側部平面部２２や水切突き出し部２３をつたってキャビネット内面に浸入するのを防止する。
【特許文献１】特開２０００−７８７０９号公報（第１図）
【特許文献２】特開平９−２６６０７号公報（第１図）
【発明の開示】
【発明が解決しようとする課題】
【００１２】
しかし、従来の受配電設備の防水手段は、雨水が水切枠をつたって下に落ちるが、側部平面部を伝う際、雨水の水量が多い場合は、水切突き出し部を乗り越えて、キャビネット内部へ雨水が浸入する。
【００１３】
また、特許文献１に示す構造においては、雨水を下方へ滴下した場合、滴下した雨水は扉の下面に落下し、跳ねた雨水の一部がキャビネットの内部に浸入するという課題があった。
【００１４】
また、特許文献２等で示すようなパッキンを使用した場合は、パッキンの経年変化を考慮する必要があり、長期間の安定した防水性能を保持することが困難であるという課題があった。
【００１５】
本発明は前記従来の問題点を解決するもので、長期間にわたり安定した防水性能を有する受配電設備を提供することを目的とする。
【課題を解決するための手段】
【００１６】
本発明の収納型電気設備は、上記課題を解決するために、電気機器と、前記電気機器を収納し前面に略長方形形状の開口部を有するキャビネットとを備える収納型電気設備であって、前記キャビネットは前記開口部を開閉する扉と、前記開口部の上部および側部からそれぞれ前記キャビネットの前方向に突出して形成される上部平面部および側部平面部を有する水切枠とを備え、前記水切枠は、前記上部平面部に流れる水分を、前記扉を閉じた際に前記扉の内側周囲部を受ける前記キャビネットの扉受け面側へ誘導する水流誘導手段を備えたものである。
【００１７】
また、本発明の収納型電気設備は、水流誘導手段を、水切枠の上部平面部の側端部からキャビネットの側面方向に略水平、斜め上方、または略鉛直上方に突出してなる凸部としたものである。あるいは、水流誘導手段を、水切枠の上部平面部の側端部上の点から内側斜め前方へ前記上部平面部上に形成する直線を底辺として略鉛直上方に突出してなる凸部としたものである。
【００１８】
また、本発明の収納型電気設備は、水流誘導手段としての凸部を、キャビネット前方側の部分のみが突出してなるようにしたものである。また、凸部は、前記凸部を形成する扉受け面側の縁部を、前記凸部の先端部から水切枠の上部平面部の側端部に向かって曲線または斜め直線に形成してなるものである。さらに凸部は、前記凸部を形成する扉受け面側の縁部の両端部のうち、水切枠の上部平面部の側端部に近い側の端部を、前記上部平面部の側端部に設けてなるもの、または前記上部平面部の側端部と扉受け面との交点に設けてなるもの、あるいは前記上部平面部と前記扉受け面が交差して形成される直線を側面方向へ延長した直線上に設けてなるものである。
【００１９】
また、本発明の収納型電気設備は、水流誘導手段としての凸部は、水切枠の上部平面部の側端部上の点から内側斜め前方へ前記上部平面部上に形成する直線を、扉受け面まで延長してなる直線を底辺として略鉛直上方に突出してなるものである。あるいは、水切枠の上部平面部の側端部上の点から内側斜め前方に前記上部平面部上に形成する直線と、前記上部平面部の側端部上の点から扉受け面まで後方斜め下方向へ形成する直線とをそれぞれ底辺として略鉛直上方に突出してなるものである。さらには、凸部の底辺と、水切枠の上部平面部の側端部と、扉受け面とで形成される部分は空洞であるものである。
【００２０】
また、本発明の収納型電気設備は、水流誘導手段としての凸部は、水切枠の上部平面部の側端部から略水平に突出してなる第１の突起部と、前記第１の突起部の先端部から略鉛直上方に突出してなる第２の突起部とからなるものである。さらには、凸部は、第２の突起部を形成する扉受け面側の縁部を、前記第２の突起部の先端部上の点からその根元部に向かって曲線または斜め直線に形成してなるものである。また、凸部は、第１の突起部の扉受け面に近い部分に空洞部を有するものである。
【００２１】
さらに本発明の収納型電気設備は、水流誘導手段は、水切枠の上部平面部の両側端部とも設けられたものである。あるいは、水流誘導手段は、水切枠の上部平面部の片側端部に設けられたものである。
【００２２】
さらに本発明の収納型電気設備は、水切枠の上部平面部の両側端部のうち、凸部が設けられていない片側端部に、その側端部から略鉛直上方に突出させてなる止水手段を設けたものである。
【００２３】
さらに本発明の収納型電気設備は、水切枠は、側部平面部の扉受け面に近い側に親水性塗料を塗布したものである。また水切枠は、側部平面部の前方向側に疎水性塗料を塗布したものである。
【発明の効果】
【００２４】
以上のように、本発明は長期間にわたって安定した防水性能を有する受配電設備を提供することができる。
【発明を実施するための最良の形態】
【００２５】
（実施の形態１）
本発明の実施の形態１における収納型電気設備ついて、図１から図４を用いて説明する。なお、本実施の形態における収納型電気設備は、一例として図１６で示すような受配電設備について説明する。
【００２６】
図１は、このような受配電設備における、扉開状態の水切枠２の上部詳細図を示し、２１１は水切枠２の上部平面部２１から側面方向へ水平に突き出した凸部を示す。なお本実施の形態において、その他の構成については、従来の技術の一般的な従来例で説明した構成と同一のものに同一の符号を付して重複する説明を省略する。また、本実施の形態で従来例と異なる点は上記した凸部２１１を設けた点であるのでこの凸部２１１の構成および作用について説明する。
【００２７】
凸部２１１は、図１に示すように、上部平面部２１から側部平面部２２よりも側面方向に水平に突出し、その先端は、水切突き出し部２３の側面方向の突き出し面先端よりは内側になるようにして設ける。すなわち凸部２１１は、上部平面部２１の一部のごとく同一面を成している。また凸部２１１は、キャビネット前方側のみ突出させ、扉受け面１１に近い側は切り欠き部２１１ａとなっている。なお、この切り欠き部２１１ａの部分には、突出している部分は全くなく、上部平面部２１と側部平面部２２が略直角に連続した面を形成している。
【００２８】
以上のように構成された本実施の形態における受配電設備のキャビネット１の水切枠２について、降雨状態における動作を説明する。雨水は上部平面部２１の上面をつたって側部平面部２２に至るが、凸部２１１を設けている為に凸部２１１の側面方向の先端に達するよりも切り欠き部２１１ａの方から早く側部平面部２２に至る。このことから、凸部２１１よりも扉受け面１１側の切り欠き部２１１ａの方からの水の流れが早くなり、上部平面部２１の上面を側面方向につたう雨水は、継続的に切り欠き部２１１ａを通過して側部平面部２２に至るようになる。
【００２９】
このことにより、雨水は側部平面部２２の扉受け面１１に近い側とその近辺の扉受け面１１を流れ、水切突き出し部２３を乗り越えてキャビネット内部に雨水が浸入することを防ぐことができる。すなわち凸部２１１は、上部平面部２１に流れる水分を、扉受け面１１側へ誘導する水流誘導手段として作用する。
【００３０】
なお、この切り欠き部２１１ａは、上部平面部２１を延長させて形成した全幅の凸部２１１から扉受け面１１に近い側を切り欠く方法で形成してもいいし、凸部２１１を別パーツにして上部平面部２１に接合するなどその他の方法によって形成してもよい。
【００３１】
また、この凸部２１１は、たとえば図２に示すように、扉受け面１１側の縁部２１１ｂに、その凸部先端部２１１ｃから上部平面部２１の側端部２１ａに向かって、Ｒカットにより曲線を形成した角部加工を施してあってもよい。あるいは、図示しないがＣカット等の斜め直線を形成したものであってもよい。このように凸部２１１にＲカットやＣカット等の角部加工を設けることにより、雨水はより円滑に扉受け面１１側近くの切り欠き部２１１ａへ流れるようになり、より水切突出部２３を乗り越えにくくなる。したがって、キャビネット１内部への雨水浸入防止性能をより高めることができる。
【００３２】
また図２においては、縁部２１１ｂの両端部のうち、上部平面部２１の側端部２１ａに近い側の端部２１１ｄは、側端部２１ａ上に設けるようにしたが、図３で示すように、側端部２１ａと扉受け面１１との交点に設けてもよい。このようにすることにより、雨水は側部平面部２２と扉受け面１１が接する角部を流れるようになり、より水切突き出し部２３を乗り越えにくくなりキャビネット内部への雨水浸入防止性能をより高めることができる。
【００３３】
あるいは図４に示すように、縁部２１１ｂの両端部のうち、端部２１１ｄは、上部平面部２１と扉受け面１１が交差して形成される直線２１１ｅを側面方向へ延長した直線上に設けてもよい。このようにすることによっても、雨水は扉受け面１１側を流れやすくなり、より水切突き出し部２３を乗り越えにくくなりキャビネット内部への雨水浸入防止性能をより高めることができる。
【００３４】
なお、図示ではキャビネット左側のみの記載であるが、右側のみまたは左右対称形状としてもよい。
【００３５】
（実施の形態２）
本発明の実施の形態２について図５から図８を用いて説明する。なお本実施の形態において、従来の技術の一般的な従来例で説明した構成と同一のものには、同一の符号を付して重複する説明を省略する。
【００３６】
図５は、本実施の形態における扉開状態の水切枠の上部詳細図を示すものであり、２１１は凸部を示す。そして凸部２１１は、上部平面部２１の側端部２１ａから略鉛直上方に突出しており、キャビネット前方側は水切突出部２３に接している。また、この凸部２１１は、実施の形態１と同様、キャビネット前方側のみ突出しており、扉受け面１１側は切り欠き部２１１ａとなっている。そして、この切り欠き部２１１ａでは突起部が全くなく、上部平面部２１と側部平面部２２が略直角に連続面を形成する。
【００３７】
以上のように構成された受配電設備のキャビネットの水切枠においても、実施の形態１と同様、降雨状態における雨水は、上部平面部２１の上面をつたって側部平面部２２に至るが、凸部２１１を設けている為に雨水は凸部２１１側でせき止められ、側部平面部２２の扉受け面１１側の切り欠き部２１１ａに流れ込むので、側部平面部２２の扉受け面１１に近い側とその近辺の扉受け面１１を流れ、水切突き出し部２３を乗り越えてキャビネット内部に雨水が浸入することを防ぐことができる。
【００３８】
なお、凸部２１１は上部平面部２１との成す上下方向の角度を直角以外に設けても同様の効果を得られる。特に、上部平面部２１の側端部２１ａからキャビネットの側面方向へ斜め上方に突出させると効果は大きい。図６はその一例を示す図であり、凸部２１１を上部平面部２１との上下方向の角度を約１３５度としている。
【００３９】
あるいは、凸部２１１は、上部平面部２１の側端部２１ａ上の点から内側斜め前方へ、上部平面部２１上に形成する直線を底辺として略鉛直上方に突出したものであってもよい。すなわち凸部２１１を、側端部２１ａに対し鈍角を成すように設ける。図７はその一例を示すであり、凸部２１１は、側端部２１ａと１３５度の角度をなし、上部平面部２１の側端部２１ａ上の点から内側斜め前方へ、水切突き出し部２３まで、上部平面部２１上に形成する直線２１ｂを底辺として略鉛直上方に突出したものである。このように、凸部２１１を上部平面部２１の側端部２１ａ上の点から内側斜め前方へ形成する直線２１ｂを底辺として鉛直上方へ突出させることにより、雨水は側部平面部２２の扉受け面１１近辺へ流れるようなり、より水切突き出し部２３を乗り越えにくくなりキャビネット内部への雨水浸入防止性能をより高めることができる。
【００４０】
さらに、図８に示すように、凸部２１１の扉受け面１１側の縁部２１１ｂは、凸部先端部２１１ｃから上部平面部２１の側端部２１ａに向かってＲカットにより曲線を形成した角部加工を施してあってもよい。あるいは、図示しないがＣカット等の斜め直線を形成したものであってもよい。また図８に示すように、凸部２１１の扉受け面１１側の縁部２１１ｂの両端部のうち、上部平面部２１の側端部２１ａに近い側の端部２１１ｄは、上部平面部２１の側端部２１ａと、扉受け面１１との交点に設けている。これにより、雨水は側部平面部２２と扉受け面１１が接する角部を流れるようになり、より水切突き出し部２３を乗り越えにくくなりキャビネット内部への雨水浸入防止性能をより高めることができる。なお、端部２１１ｄは、側端部２１ａ上に設けてもよいし、上部平面部２１と扉受け面１１が交差して形成される直線を側面方向へ延長した直線上に設けても同様の効果が得られる。
【００４１】
なお、図示ではキャビネット左側のみの記載であるが、右側のみまたは左右対称形状としてもよい。
【００４２】
（実施の形態３）
本発明の実施の形態３について図９および図１０を用いて説明する。なお本実施の形態において、従来の技術の一般的な従来例で説明した構成と同一のものには、同一の符号を付して重複する説明を省略する。図９は、本実施の形態における扉３が開状態の水切枠２の上部詳細図を示す。図９において、凸部２１１は、上部平面部２１の側端部２１ａ上の点２１ｃから内側斜め前方へ、上部平面部２１上に形成する直線２１ｂを、扉受け面１１まで延長した直線２１１ｆを凸部の底辺として略鉛直上方に突出したものである。また、凸部の底辺をなす直線２１１ｆと、上部平面部２１の側端部２１ａと、扉受け面１１とで形成される三角形の部分２１１ｇは空洞部としている。
【００４３】
以上のように構成された本実施の形態における受配電設備のキャビネット１の水切枠２について、降雨状態における動作を説明する。雨水は、上部平面部２１の上面をつたって側部平面部２２に至るが、凸部２１１を設けている為に雨水は凸部２１１でせき止められ、略三角形の空洞部２１１ｇより下方へつたう。すなわち雨水は、凸部２１１が雨水を誘導して空洞部２１１ｇに多く流れ込ませるので、側部平面部２２の扉受け面１１に近い側およびと扉受け面１１側に流れ込ませることができ、水切突き出し部２３を乗り越えてキャビネット内部に雨水が浸入することを防ぐことができる。
【００４４】
また図１０で示すように、凸部２１１は、上部平面部２１の側端部２１ａ上の点２１ｃから内側斜め前方に上部平面部２１上に形成する直線２１ｂと、側端部２１ａ上の点２１ｃから扉受け面１１まで後方斜め下方向へ形成する直線２１１ｈとをそれぞれ底辺として略鉛直上方に突出したものであってもよい。
【００４５】
このように上部平面部２１から、鉛直方向以外に、側面方向および下方向に凸部を延長させることで、凸部２１１の下端面部分をつたって扉受け面１１により多く流れるようになり、より水切突き出し部２３を乗り越えにくくなりキャビネット１内部への雨水浸入防止性能をより高めることができる。なお図３においても、凸部２１１、側端部２１ａ、および扉受け面１１に囲まれた三角形の部分は空洞で、雨水を下部へ流すようにしている。
なお、図示ではキャビネット左側のみの記載であるが、右側のみまたは左右対称形状としてもよい。
【００４６】
（実施の形態４）
図１１は、本発明の実施の形態４における扉開状態の水切枠の上部詳細図を示す。なお本実施の形態において、従来の技術の一般的な従来例で説明した構成と同一のものには、同一の符号を付して重複する説明を省略する。図１１において、凸部２１１は、上部平面部２１の側端部２１ａから略水平に側面方向に突出してなる第１の突起部３１と、第１の突起部３１の突起部の先端部３１ａから略鉛直上方に突出してなる第２の突起部３２とからなる。
【００４７】
さらに、凸部２１１は、第２の突起部３２を形成する扉受け面１１側の縁部２１１ｂを、第２の突起部３２の先端部上の点２１１ｃからその根元部２１１ｄに向かってＲカットまたはＣカット等の加工を施し、曲線または斜め直線に形成している。
【００４８】
さらに、この実施の形態の発展形として、図１２に示すように、凸部２１１は、第１の突起部３１の扉受け面１１に近い部分に空洞部２１１ｇを有している。
【００４９】
以上のように構成された受配電設備のキャビネットの図１１で示す水切枠２において、降雨時に、雨水は、上部平面部２１及び凸部２１１の上面をつたってくるが、鉛直上方に突出して設けられた第２の突起部３２でせき止められ、角部加工した縁部２１１ｂによってできる隙間より、扉受け面１１につたいキャビネット１下部へ到達するため、水切横前面２４を乗り越えてキャビネット内部に雨水が浸入することを防ぐことができる。
【００５０】
また、図１２に示す水切枠２において、第１の突起部３１の扉受け面１１に近い部分に空洞部２１１ｇを設けることにより、同様の効果が得られる。なお、このように、第１の突起部３１に空洞部２１１ｇを設けておけば、第２の突起部３２の縁部に特に角部加工を施さなくてもよい。
【００５１】
なお、図示では左側のみの記載であるが、左右対称形状としてもよい。
【００５２】
（実施の形態５）
図１３は、本発明の実施の形態４における扉開状態の水切枠の上部詳細図を示す。本実施の形態において、従来の技術の一般的な従来例で説明した構成と同一のものには、同一の符号を付して重複する説明を省略する。図１３において、水切枠２は、上部平面部２１および側部平面部２２の扉受け面１１に近い側に親水性塗料を塗布したものであり、２５１は親水性の塗料を塗布した親水性塗料塗布部を示す。
【００５３】
また、図１４において、水切枠２は、上部平面部２１および側部平面部２２の前方向側に疎水性塗料を塗布したものであり、２５２は疎水性の塗料を塗布した疎水性塗料塗布部を示す。
【００５４】
以上のように構成された受配電設備のキャビネットの水切枠について、降雨状態における動作を説明する。雨水は、上部平面部２１の扉受け面１１に近い側に親水性塗料塗布部２５１を設けている為に上部平面部２１上の雨水の流速は、上部平面部２１の前方側よりも扉受け面１１に近い側の方が早くなり、雨水は継続的に上部平面部２１の扉受け面１１に近い側を通過して側部平面部２２に至るようになる。さらに、側部平面部２２の扉受け面１１に近い側にも親水性塗料塗布部２５１を設けている為に、側部平面部２２においても雨水の流速は扉受け面１１に近い側が早くなり、前方側の流量は少なくなり、水切突き出し部２３を乗り越えてキャビネット内部に雨水が浸入することを防ぐことができる。
【００５５】
また、上部平面部２１および側部平面部２２の前方向側に疎水性塗料を塗布した図１４についても同様の理由により、水切突き出し部２３を乗り越えてキャビネット内部に雨水が浸入することを防ぐことができる。
【００５６】
なお、親水性塗料および疎水性塗料の指定位置への塗布は、どちらか一方でもよいし、両方とも施せばいっそう効果が得られる。
【００５７】
さらに本発明の実施の形態による効果をいっそう高めるための方法について図１５を用いて説明する。すなわち図１５は実施の形態１から４において説明した本発明の実施の形態における水流誘導手段としての凸部２１１を上部平面部２１の両側端のうちいずれか一方に設置した場合に、凸部２１１が設けられていない片側端部に、その側端部から略鉛直上方に突出させてなる止水手段を設けた状態を示すものである。図１５において、２３３は、上部平面部２１の凸部２１１が設けられていない側の端部２１ｄから略鉛直上方に突出し、水切突き出し部２３と扉受け面１１に接する止水手段として設けた塞ぎ板を示す。そして、降雨時に雨水は、水切枠２の上部平面部２１は、一方が塞ぎ板２３３で塞がれているため、凸部２１１が設けられた反対側からのみ下方へつたい、塞ぎ板２３３が設けられている方はキャビネット１内部に雨水が浸入することはない。
【００５８】
以上のように、本発明の実施の形態においては、キャビネット開口部から浸入する雨水を防止することができ、長期間にわたって安定した防水性能を有する受配電設備を提供することができる。
【産業上の利用可能性】
【００５９】
本発明の受配電設備の防水構造は、長期間にわたって安定した防水性能を有する受配電設備を提供することができ、電気機器をキャビネットに収納した受配電設備等として産業上有用である。
【図面の簡単な説明】
【００６０】
【図１】本発明の受配電設備の実施の形態１における扉開状態の水切枠を説明する第１の図
【図２】同第２の図
【図３】同第３の図
【図４】同第４の図
【図５】本発明の受配電設備の実施の形態２における扉開状態の水切枠を説明する第１の図
【図６】同第２の図
【図７】同第３の図
【図８】同第４の図
【図９】本発明の受配電設備の実施の形態３における扉開状態の水切枠を説明する第１の図
【図１０】同第２の図
【図１１】本発明の受配電設備の実施の形態４における扉開状態の水切枠を説明する第１の図
【図１２】同第２の図
【図１３】本発明の受配電設備の実施の形態５における扉開状態の水切枠を説明する第１の図
【図１４】同第２の図
【図１５】同第３の図
【図１６】一般的な受配電設備の外観図
【図１７】一般的な受配電設備の扉閉状態の上部詳細図
【図１８】一般的な受配電設備の扉閉状態の要部断面図
【図１９】一般的な受配電設備の扉開状態の上部詳細図
【図２０】従来の一実施例における受配電設備の扉開状態の上部詳細図
【符号の説明】
【００６１】
２    水切枠
１１  扉受け面
２１  上部平面部
２２  側部平面部
３１  第１の突起部
３２  第２の突起部
２１１  凸部
２１ａ  側端部
２１１ｂ  縁部  
２１１ｃ  凸部先端部
２１１ｄ  側端部に近い側の端部
２１１ｇ  空洞部
２３３  塞ぎ板
２５１  親水性塗料塗布部
２５２  親水性塗料塗布部
【図１】
2005261007.tif 000003
【図２】
2005261007.tif 000004
【図３】
2005261007.tif 000005
【図４】
2005261007.tif 000006
【図５】
2005261007.tif 000007
【図６】
2005261007.tif 000008
【図７】
2005261007.tif 000009
【図８】
2005261007.tif 000010
【図９】
2005261007.tif 000011
【図１０】
2005261007.tif 000012
【図１１】
2005261007.tif 000013
【図１２】
2005261007.tif 000014
【図１３】
2005261007.tif 000015
【図１４】
2005261007.tif 000016
【図１５】
2005261007.tif 000017
【図１６】
2005261007.tif 000018
【図１７】
2005261007.tif 000019
【図１８】
2005261007.tif 000020
【図１９】
2005261007.tif 000021
【図２０】
2005261007.tif 000022